(57)【要約】【課題】  ユーザ追加を各ノード装置に対して自動的に行うことが可能なネットワーク管理システムを提供する。【解決手段】  ＮＭＳサーバ（３）にて管理されるネットワークを構成するノード装置（４１〜４６，５１〜７０）に対してＮＭＳサーバを介して設定を行うネットワーク管理システムにおいて、ＮＭＳサーバは、ユーザ機器の追加がある場合にネットワークを構成しかつ予め代表装置として設定されたノード装置（４１，４２，５１，６１）にユーザ追加の設定を指示する。代表装置として設定されたノード装置は、ＮＭＳサーバからユーザ追加の設定が指示された場合に当該ユーザ追加の設定を行った後に隣接するノード装置に対してユーザ追加の設定を指示する。【選択図】      図１
2014154053.tif 000002
【特許請求の範囲】
【請求項１】
ＮＭＳ（Ｎｅｔｗｏｒｋ  Ｍａｎａｇｅｍｅｎｔ  Ｓｙｓｔｅｍ）サーバにて管理されるネットワークを構成するノード装置に対して前記ＮＭＳサーバを介して設定を行うネットワーク管理システムであって、
前記ＮＭＳサーバは、ユーザ機器の追加がある場合に前記ネットワークを構成しかつ予め代表装置として設定されたノード装置に前記ユーザ追加の設定を指示する手段を有し、
前記代表装置として設定されたノード装置は、前記ＮＭＳサーバから前記ユーザ追加の設定が指示された場合に当該ユーザ追加の設定を行う手段と、当該ユーザ追加の設定を行った後に隣接するノード装置に対して前記ユーザ追加の設定を指示する手段とを有し、
前記隣接するノード装置は、隣接するノード装置から前記ユーザ追加の設定が指示された場合に当該ユーザ追加の設定を行う手段と、当該ユーザ追加の設定を行った後に隣接するノード装置に対して前記ユーザ追加の設定を指示する手段とを有することを特徴とするネットワーク管理システム。
【請求項２】
前記隣接するノード装置において、前記ユーザ追加の設定の指示が両側から通知された場合に当該ユーザ追加の設定を指示する処理を停止し、前記代表装置として設定されたノード装置を介して前記ＮＭＳサーバに終了通知を行うことを特徴とする請求項１記載のネットワーク管理装置。
【請求項３】
前記隣接するノード装置は、前記ユーザ追加の設定が終了した後にさらに前記ユーザ追加の設定の支持が通知されると、前記代表装置として設定されたノード装置を介して前記ＮＭＳサーバに終了通知を行うことを特徴とする請求項２記載のネットワーク管理装置。
【請求項４】
上記の請求項１から請求項３のいずれかに記載のノード装置の手段を含むことを特徴とするノード装置。
【請求項５】
ＮＭＳ（Ｎｅｔｗｏｒｋ  Ｍａｎａｇｅｍｅｎｔ  Ｓｙｓｔｅｍ）サーバにて管理されるネットワークを構成するノード装置に対して前記ＮＭＳサーバを介して設定を行うネットワーク管理システムに用いるユーザ管理方法であって、
前記ＮＭＳサーバが、ユーザ機器の追加がある場合に前記ネットワークを構成しかつ予め代表装置として設定されたノード装置に前記ユーザ追加の設定を指示する処理を実行し、
前記代表装置として設定されたノード装置が、前記ＮＭＳサーバから前記ユーザ追加の設定が指示された場合に当該ユーザ追加の設定を行う処理と、当該ユーザ追加の設定を行った後に隣接するノード装置に対して前記ユーザ追加の設定を指示する処理とを実行し、
前記隣接するノード装置が、隣接するノード装置から前記ユーザ追加の設定が指示された場合に当該ユーザ追加の設定を行う処理と、当該ユーザ追加の設定を行った後に隣接するノード装置に対して前記ユーザ追加の設定を指示する処理とを実行することを特徴とするユーザ管理方法。
【請求項６】
前記隣接するノード装置において、前記ユーザ追加の設定の指示が両側から通知された場合に当該ユーザ追加の設定を指示する処理を停止し、前記代表装置として設定されたノード装置を介して前記ＮＭＳサーバに終了通知を行うことを特徴とする請求項５記載のユーザ管理方法。
【請求項７】
前記隣接するノード装置は、前記ユーザ追加の設定が終了した後にさらに前記ユーザ追加の設定の支持が通知されると、前記代表装置として設定されたノード装置を介して前記ＮＭＳサーバに終了通知を行うことを特徴とする請求項６記載のユーザ管理方法。
【発明の詳細な説明】
【技術分野】
【０００１】
本発明はネットワーク管理システム、ノード装置及びそれらに用いるユーザ管理方法に関し、特にユーザ端末がＮＭＳ（Ｎｅｔｗｏｒｋ  Ｍａｎａｇｅｍｅｎｔ  Ｓｙｓｔｅｍ）サーバ経由でノード装置へ接続する際のユーザの設定管理に関する。
【背景技術】
【０００２】
本発明に関連するネットワーク管理システムにおいて、ノード装置（パケットの伝送を行う伝送装置等）を管理したいユーザは、管理したいネットワーク上のＮＭＳサーバにログインを行う。このログインを行う際に、使用するユーザ情報は、ＮＭＳサーバに登録されているユーザ情報となる。
【０００３】
ユーザは、上記のように、ユーザ端末からＮＭＳサーバにログインを実施することで、ＮＭＳサーバが管理している複数のノード装置を確認することができる。この確認において、ユーザが、ネットワーク管理システムにおける設定（例えば、ユーザ登録等）を変更したいノード装置を選択する際に、その選択されたノード装置に対してＮＭＳサーバからログインを行う。
【０００４】
その際、ユーザは、ユーザ端末からＮＭＳサーバに対してログイン済みであるので、選択したノード装置に対してユーザ端末からログインしなおす必要がなく、選択したノード装置に対してはＮＭＳサーバにて自動的にログインが行われる。
【０００５】
このように、図１１に示すように、ユーザ端末Ａ，１，２がＮＭＳサーバ３経由でノード装置４１〜４６，５１〜６０，６１〜７０へ接続する際のユーザ管理は、ノード装置４１〜４６，５１〜６０，６１〜７０単位に予め用意したユーザ情報を登録している。
【０００６】
ユーザの追加を行う場合には、各ノード装置４１〜４６，５１〜６０，６１〜７０に対して設定（＝ユーザ登録）を行うことで、数百台から数千台のノード装置に接続することができるようになる。
【０００７】
このため、ＮＭＳサーバ３の管理対象のノード装置４１〜４６，５１〜６０，６１〜７０が増えれば増えるほど、ユーザの追加の作業の際に誤操作を伴い、また大幅な工数をかける必要がある。
【０００８】
上記のようなユーザ管理については、下記の特許文献１，２に記載の方法がある。特許文献１には、宅内機器の情報を、ユーザ操作機器を用いて集約して取得する方法が記載されており、特許文献２には、ネットワーク装置、ネットワークサーバ、ユーザ端末等の被管理対象を管理するネットワーク管理方法が記載されている。
【先行技術文献】
【特許文献】
【０００９】
【特許文献１】特開２００８−２５０５４４号公報
【特許文献２】特願２００２−０６３０８６号公報
【発明の概要】
【発明が解決しようとする課題】
【００１０】
上述したネットワーク管理システムにおいて、ＮＭＳサーバから管理できるノード装置は、数百台から数千台となっている。ユーザがＮＭＳサーバにてログインを行う際には、予め各ノード装置において、ユーザ情報を登録しておく必要がある。
【００１１】
また、ユーザの追加がある場合には、各ノード装置に対し、設定（＝ユーザ登録）を行う必要があり、数百台から数千台のノード装置に対する設定作業が必要となり、ネットワークの負荷が高くなり、また作業者の操作ミス等による問題がある。
【００１２】
そこで、本発明の目的は上記の問題点を解消し、数百台から数千台のノード装置に対する設定作業を不要とし、ユーザ追加を各ノード装置に対して自動的に行うことができるネットワーク管理システム、ノード装置及びそれらに用いるユーザ管理方法を提供することにある。
【課題を解決するための手段】
【００１３】
本発明によるネットワーク管理システムは、ＮＭＳ（Ｎｅｔｗｏｒｋ  Ｍａｎａｇｅｍｅｎｔ  Ｓｙｓｔｅｍ）サーバにて管理されるネットワークを構成するノード装置に対して前記ＮＭＳサーバを介して設定を行うネットワーク管理システムであって、
前記ＮＭＳサーバは、ユーザ機器の追加がある場合に前記ネットワークを構成しかつ予め代表装置として設定されたノード装置に前記ユーザ追加の設定を指示する手段を備え、
前記代表装置として設定されたノード装置は、前記ＮＭＳサーバから前記ユーザ追加の設定が指示された場合に当該ユーザ追加の設定を行う手段と、当該ユーザ追加の設定を行った後に隣接するノード装置に対して前記ユーザ追加の設定を指示する手段とを備え、
前記隣接するノード装置は、隣接するノード装置から前記ユーザ追加の設定が指示された場合に当該ユーザ追加の設定を行う手段と、当該ユーザ追加の設定を行った後に隣接するノード装置に対して前記ユーザ追加の設定を指示する手段とを備えている。
【００１４】
本発明によるノード装置は、上記のネットワーク管理システムを構成するノード装置の各手段を含むことを特徴とする。
【００１５】
本発明によるユーザ管理方法は、ＮＭＳ（Ｎｅｔｗｏｒｋ  Ｍａｎａｇｅｍｅｎｔ  Ｓｙｓｔｅｍ）サーバにて管理されるネットワークを構成するノード装置に対して前記ＮＭＳサーバを介して設定を行うネットワーク管理システムに用いるユーザ管理方法であって、
前記ＮＭＳサーバが、ユーザ機器の追加がある場合に前記ネットワークを構成しかつ予め代表装置として設定されたノード装置に前記ユーザ追加の設定を指示する処理を実行し、
前記代表装置として設定されたノード装置が、前記ＮＭＳサーバから前記ユーザ追加の設定が指示された場合に当該ユーザ追加の設定を行う処理と、当該ユーザ追加の設定を行った後に隣接するノード装置に対して前記ユーザ追加の設定を指示する処理とを実行し、
前記隣接するノード装置が、隣接するノード装置から前記ユーザ追加の設定が指示された場合に当該ユーザ追加の設定を行う処理と、当該ユーザ追加の設定を行った後に隣接するノード装置に対して前記ユーザ追加の設定を指示する処理とを実行している。
【発明の効果】
【００１６】
本発明は、上記のような構成及び動作とすることで、数百台から数千台のノード装置に対する設定作業を不要とし、ユーザ追加を各ノード装置に対して自動的に行うことができるという効果が得られる。
【図面の簡単な説明】
【００１７】
【図１】本発明によるネットワーク管理システムの構成例を示すブロック図である。
【図２】図１に示すノード装置の構成例を示すブロック図である。
【図３】本発明の実施の形態によるネットワーク管理システムの設定（＝ユーザ登録）動作を示す図である。
【図４】本発明の実施の形態によるネットワーク管理システムの設定（＝ユーザ登録）動作を示す図である。
【図５】本発明の実施の形態によるネットワーク管理システムの設定（＝ユーザ登録）動作を示す図である。
【図６】本発明の実施の形態によるネットワーク管理システムの設定（＝ユーザ登録）動作を示す図である。
【図７】本発明の実施の形態によるネットワーク管理システムの設定（＝ユーザ登録）動作を示す図である。
【図８】本発明の実施の形態によるネットワーク管理システムの設定（＝ユーザ登録）動作を示すシーケンスチャートである。
【図９】本発明の実施の形態による代表装置の設定（＝ユーザ登録）動作を示すフローチャートである。
【図１０】本発明の実施の形態による隣接装置の設定（＝ユーザ登録）動作を示すフローチャートである。
【図１１】本発明に関連するネットワーク管理システムの設定（＝ユーザ登録）動作を示す図である。
【発明を実施するための形態】
【００１８】
次に、本発明の実施の形態について図面を参照して説明する。まず、本発明によるネットワーク管理システムの概要について説明する。
【００１９】
図１は本発明によるネットワーク管理システムの構成例を示すブロック図である。図１において、本発明によるネットワーク管理システムは、オペレータＡ，１，２が使用するユーザ端末Ａ，１，２と、ＮＭＳ（Ｎｅｔｗｏｒｋ  Ｍａｎａｇｅｍｅｎｔ  Ｓｙｓｔｅｍ）サーバ３と、ノード装置４１〜４６からなるリニアネットワーク４と、ノード装置５１〜６０からなるリングネットワーク５と、ノード装置６１〜７０からなるリングネットワーク６とから構成されている。
【００２０】
リニアネットワーク４では、ＮＭＳサーバ３に接続されるノード装置４１，４２が予め代表装置として設定され、リングネットワーク５では、ＮＭＳサーバ３に接続されるノード装置５１が予め代表装置として設定され、リングネットワーク６では、ＮＭＳサーバ３に接続されるノード装置６１が予め代表装置として設定されている。
【００２１】
図２は図１に示すノード装置４１の構成例を示すブロック図である。図２において、ノード装置４１は、ユーザ管理部４１１と、構成管理部４１２と、ユーザ情報テーブル４１３と、隣接情報テーブル４１４とから構成されている。尚、図示していないが、上記の図１に示すノード装置４２〜４６，５１〜６０，６１〜７０各々もノード装置４１と同様の構成となっている。
【００２２】
ユーザ管理部４１１は、ノード装置４１内のユーザ登録、削除等、つまりユーザ情報テーブル４１３へのユーザ登録、削除等を行う。構成管理部４１２は、隣接情報テーブル４１４の隣接情報を確認し、ユーザ情報テーブル４１３へのユーザ登録、削除等が反映されたユーザ情報の隣接装置への登録、削除（ユーザ登録）を行う。
【００２３】
本発明によるネットワーク管理システムでは、ユーザ端末の追加（例えば、ユーザ端末２の追加）がある場合、ＮＭＳサーバ３からリニアネットワーク４を構成する代表装置４１にユーザ追加（ユーザ登録）を指示し、リングネットワーク５，６を構成する代表装置５１，６１にユーザ追加（ユーザ登録）を指示する。
【００２４】
この通知（ユーザ登録の指示）を受けた代表装置４１，４２，５１，６１は、隣接装置４３，４６，５２，６０，６２，７０に対してユーザ追加（ユーザ登録）を指示する。ユーザ追加を行った装置４３，４６，５２，６０，６２，７０では隣接装置４４，４５，５３，５９，６３，６９に対してユーザ追加（ユーザ登録）を指示する。
【００２５】
例えば、リングネットワーク５，６において、両側からユーザ追加が通知されたノード装置（ノード装置５６，６６）で処理を停止し、代表装置５１，６１へ処理完了の通知を行い、代表装置５１，６１はＮＭＳサーバ３へ終了通知を行う。
【００２６】
このように、本発明では、リニアネットワーク４、リングネットワーク５，６の構成上の代表装置４１，４２，５１，６１に対してユーザ追加（ユーザ登録）を行うと、リニアネットワーク４、リングネットワーク５，６内（ローカル）の他装置に自動で設定（＝ユーザ登録）が行われる。これによって、ユーザ端末Ａ，１，２〜ＮＭＳサーバ３〜ノード装置４１〜４６，５１〜６０，６１〜７０間におけるネットワーク負荷を軽減することができる。
【００２７】
よって、本発明では、代表装置４１，４２，５１，６１へのユーザ追加（ユーザ登録）を行った際に、リニアネットワーク４、リングネットワーク５，６内のノード装置４１〜４６，５１〜６０，６１〜７０に対し、代表装置４１，４２，５１，６１からユーザ登録を行う仕組みを設けることで、数百台から数千台のノード装置に対して設定（＝ユーザ登録）を行っていたものが、1リング、1リニアあたりに収容する台数が軽減される。
【００２８】
図３〜図７は本発明の実施の形態によるネットワーク管理システムの設定（＝ユーザ登録）動作を示す図である。図３、図４、図７は本実施の形態によるネットワーク管理システムの全体の設定（＝ユーザ登録）動作の流れを示し、図５（ａ）、図６（ａ）はリングネットワーク５における設定（＝ユーザ登録）動作の流れを示し、図５（ｂ）、図６（ｂ）はリニアネットワーク４における設定（＝ユーザ登録）動作の流れを示している。これら図３〜図７を参照して本実施の形態によるネットワーク管理システムの全体の設定（＝ユーザ登録）動作の流れについて説明する。
【００２９】
まず、ユーザ追加の例について説明する。ユーザ端末Ａがユーザ端末２の情報を追加するために、ＮＭＳサーバ３にユーザ登録を行うと（図３及び図４参照）、ＮＭＳサーバ３はリニアネットワーク４の代表装置４１，４２及びリングネットワーク５，６の代表装置５１，６１にユーザ登録を行う。
【００３０】
リニアネットワーク４の代表装置４１，４２及びリングネットワーク５，６の代表装置５１，６１は、隣接装置４３，４６，５２，６０，６２，７０に対してユーザ追加（ユーザ登録）を指示する（図４参照）。
【００３１】
隣接装置４３，４６，５２，６０，６２，７０は、代表装置４１，４２，５１，６１と逆側の隣接装置４４，４５，５３，６９，６３，６９（隣接装置６３，６９の動作は図示せず）にユーザ追加（ユーザ登録）を指示する［図５（ａ），（ｂ）参照］。
【００３２】
両側からユーザ追加が通知された隣接装置４４，５８は、新規ユーザ追加済みの場合、終了通知を代表装置４１，５１へ通知する［図６（ａ），（ｂ）参照］。代表装置４１，５１，６１は、終了通知が通知されると、その終了通知をＮＭＳサーバ３へ通知する（図７参照）。
【００３３】
図８は本発明の実施の形態によるネットワーク管理システムの設定（＝ユーザ登録）動作を示すシーケンスチャートであり、図９は本発明の実施の形態による代表装置の設定（＝ユーザ登録）動作を示すフローチャートであり、図１０は本発明の実施の形態による隣接装置の設定（＝ユーザ登録）動作を示すフローチャートである。これら図８〜図１０を参照して本発明の実施の形態によるネットワーク管理システムの設定（＝ユーザ登録）動作について説明する。
【００３４】
オペレータＡは、ユーザ２を新規に追加する場合、代表装置へユーザ登録（ユーザ２）を指示し（図８の１）、代表装置からの終了通知待ちとなる。
【００３５】
代表装置は、オペレータＡからユーザ登録（ユーザ２）が指示されると、そのユーザ登録（ユーザ２）を実施し（図８の２）（図９ステップＳ１）、隣接装置へユーザ登録（ユーザ２）を指示する（図８の３）（図９ステップＳ２，Ｓ３）。
【００３６】
隣接装置は、ユーザ登録（ユーザ２）を実施し（図１０ステップＳ１２）、さらに隣接する装置へユーザ登録を指示する（図示せず）（図１０ステップＳ１４，Ｓ１５）。
【００３７】
隣接装置は、新規ユーザ登録済みの場合（図１０ステップＳ１１）、代表装置へ終了通知を行う（図８の４）（図１０ステップＳ１３）。代表装置は、隣接装置から終了通知が行われると、その終了通知をオペレータＡに通知する（図８の４）。
【００３８】
このように、本実施の形態では、数百台から数千台のノード装置に対するユーザ登録を行う際にオペレータＡからすべての装置に対して設定を行う必要がない。この効果により、本実施の形態では、ネットワーク負荷の軽減を図ることができる。
【００３９】
また、本実施の形態では、設定完了した際に通知を行うが、すべての装置からの通知ではなく、代表装置からの通知のみであるため、さらにネットワーク負荷の軽減を図ることができる。
【００４０】
さらに、本実施の形態では、数百台から数千台のノードへの設定を行うよりも設定数が少なくなるため、誤操作を防止することができる。
【符号の説明】
【００４１】
１，２，Ａ  ユーザ端末
３  ＮＭＳサーバ
４  リニアネットワーク
５，６  リングネットワーク
４１〜４６，５１〜７０  ノード装置
４１１  ユーザ管理部
４１２  構成管理部
４１３  ユーザ情報テーブル
４１４  隣接情報テーブル
【図１】
2014154053.tif 000003
【図２】
2014154053.tif 000004
【図３】
2014154053.tif 000005
【図４】
2014154053.tif 000006
【図５】
2014154053.tif 000007
【図６】
2014154053.tif 000008
【図７】
2014154053.tif 000009
【図８】
2014154053.tif 000010
【図９】
2014154053.tif 000011
【図１０】
2014154053.tif 000012
【図１１】
2014154053.tif 000013